(57)【特許請求の範囲】
【請求項１】
交際相手を探している複数のユーザが登録されて当該ユーザ同士が交際する機会を支援すると共に、ユーザの端末が通信可能に接続された交際支援装置であって、
交際を希望する交際希望ユーザの端末から、当該交際希望ユーザが交際を希望する相手である交際希望相手ユーザの識別情報を入力し、更に、前記交際希望相手ユーザの端末から、前記交際希望相手ユーザの識別情報の入力とは独立して入力される、当該交際希望相手ユーザが交際を希望する相手である交際希望ユーザの識別情報を入力する入力手段と、
入力された場合にその旨が前記交際希望相手ユーザの端末に通知されることとなる、前記入力手段により入力した交際希望ユーザの識別情報と、入力された場合にその旨が前記交際希望ユーザの端末に通知されることとなる、前記入力手段により入力した前記交際希望相手ユーザの識別情報と、に基づいて、当該交際希望ユーザと当該交際希望相手ユーザとの交際が合意に達したか否かを判定する判定手段と、
前記判定手段により判定された結果に基づいて、それぞれユーザに対応付けられる、当該ユーザの識別情報及び当該ユーザの交際活動の状況を示す交際活動モードデータを含むユーザ管理データを複数記憶するユーザ管理データ記憶手段に記憶されている、前記交際希望ユーザの前記ユーザ管理データに含まれる前記交際活動モードデータの値を、交際活動を行っている状況を示す値から交際活動を休止している状況を示す値に変更すると共に、前記ユーザ管理データ記憶手段に記憶されている、前記交際希望相手ユーザの前記ユーザ管理データに含まれる前記交際活動モードデータの値を、交際活動を行っている状況を示す値から交際活動を休止している状況を示す値に変更する休止手段と、
を含み、
前記交際希望ユーザの前記ユーザ管理データに含まれる前記交際活動モードデータの値が交際活動を休止している状況を示す値であり、前記交際希望相手ユーザの前記ユーザ管理データに含まれる前記交際活動モードデータの値が交際活動を休止している状況を示す値である状況において、前記入力手段は、前記交際希望ユーザの端末または前記交際希望相手ユーザの端末から交際活動を実施することの可能化要求を入力し、
前記休止手段は、前記入力手段により入力した可能化要求に基づいて、当該可能化要求に係る前記交際希望ユーザまたは前記交際希望相手ユーザについてのみ前記ユーザ管理データに含まれる前記交際活動モードデータの値を、交際活動を休止している状況を示す値から交際活動を行っている状況を示す値に変更すると共に、交際活動を実施することが可能にされた旨を相手側に通知する、
ことを特徴とする交際支援装置。
【請求項２】
交際を希望する複数の交際希望ユーザが登録され、交際希望ユーザ同士が交際する機会を支援すると共に、ユーザの端末が通信可能に接続された交際支援装置による交際支援方法であって、
交際を希望する交際希望ユーザの端末から、当該交際希望ユーザが交際を希望する相手である交際希望相手ユーザの識別情報を入力するステップと、
前記交際希望相手ユーザの端末から、前記交際希望相手ユーザの識別情報の入力とは独立して入力される、当該交際希望相手ユーザが交際を希望する相手である交際希望ユーザの識別情報を入力するステップと、
入力された場合にその旨が前記交際希望相手ユーザの端末に通知されることとなる、前記交際希望ユーザの識別情報と、入力された場合にその旨が前記交際希望ユーザの端末に通知されることとなる、前記交際希望相手ユーザの識別情報と、に基づいて、当該交際希望ユーザと当該交際希望相手ユーザとの交際が合意に達したか否かを判定する判定ステップと、
前記判定ステップで判定された結果に基づいて、それぞれユーザに対応付けられる、当該ユーザの識別情報及び当該ユーザの交際活動の状況を示す交際活動モードデータを含むユーザ管理データを複数記憶するユーザ管理データ記憶手段に記憶されている、前記交際希望ユーザの前記ユーザ管理データに含まれる前記交際活動モードデータの値を、交際活動を行っている状況を示す値から交際活動を休止している状況を示す値に変更すると共に、前記ユーザ管理データ記憶手段に記憶されている、前記交際希望相手ユーザの前記ユーザ管理データに含まれる前記交際活動モードデータの値を、交際活動を行っている状況を示す値から交際活動を休止している状況を示す値に変更する休止ステップと、
前記交際希望ユーザの前記ユーザ管理データに含まれる前記交際活動モードデータの値が交際活動を休止している状況を示す値であり、前記交際希望相手ユーザの前記ユーザ管理データに含まれる前記交際活動モードデータの値が交際活動を休止している状況を示す値である状況において、前記交際希望ユーザの端末または前記交際希望相手ユーザの端末から交際活動を実施することの可能化要求を入力するステップと、
入力した可能化要求に基づいて、当該可能化要求に係る前記交際希望ユーザまたは前記交際希望相手ユーザについてのみ前記ユーザ管理データに含まれる前記交際活動モードデータの値を、交際活動を休止している状況を示す値から交際活動を行っている状況を示す値に変更すると共に、交際活動を実施することが可能にされた旨を相手側に通知するステップと、
を含むことを特徴とする交際支援方法。
【請求項３】
交際相手を探している複数のユーザが登録されて当該ユーザ同士が交際する機会を支援すると共に、ユーザの端末が通信可能に接続された交際支援装置としてコンピュータを機能させるプログラムであって、
交際を希望する交際希望ユーザの端末から、当該交際希望ユーザが交際を希望する相手である交際希望相手ユーザの識別情報を入力し、更に、前記交際希望相手ユーザの端末から、前記交際希望相手ユーザの識別情報の入力とは独立して入力される、当該交際希望相手ユーザが交際を希望する相手である交際希望ユーザの識別情報を入力する入力手段、
入力された場合にその旨が前記交際希望相手ユーザの端末に通知されることとなる、前記入力手段により入力した交際希望ユーザの識別情報と、入力された場合にその旨が前記交際希望ユーザの端末に通知されることとなる、前記入力手段により入力した前記交際希望相手ユーザの識別情報と、に基づいて、当該交際希望ユーザと当該交際希望相手ユーザとの交際が合意に達したか否かを判定する判定手段、
前記判定手段により判定された結果に基づいて、それぞれユーザに対応付けられる、当該ユーザの識別情報及び当該ユーザの交際活動の状況を示す交際活動モードデータを含むユーザ管理データを複数記憶するユーザ管理データ記憶手段に記憶されている、前記交際希望ユーザの前記ユーザ管理データに含まれる前記交際活動モードデータの値を、交際活動を行っている状況を示す値から交際活動を休止している状況を示す値に変更すると共に、前記ユーザ管理データ記憶手段に記憶されている、前記交際希望相手ユーザの前記ユーザ管理データに含まれる前記交際活動モードデータの値を、交際活動を行っている状況を示す値から交際活動を休止している状況を示す値に変更する休止手段、
として前記コンピュータを機能させ、
前記交際希望ユーザの前記ユーザ管理データに含まれる前記交際活動モードデータの値が交際活動を休止している状況を示す値であり、前記交際希望相手ユーザの前記ユーザ管理データに含まれる前記交際活動モードデータの値が交際活動を休止している状況を示す値である状況において、前記入力手段は、前記交際希望ユーザの端末または前記交際希望相手ユーザの端末から交際活動を実施することの可能化要求を入力し、
前記休止手段は、前記入力手段により入力した可能化要求に基づいて、当該可能化要求に係る前記交際希望ユーザまたは前記交際希望相手ユーザについてのみ前記ユーザ管理データに含まれる前記交際活動モードデータの値を、交際活動を休止している状況を示す値から交際活動を行っている状況を示す値に変更すると共に、交際活動を実施することが可能にされた旨を相手側に通知する、
ことを特徴とするプログラム。
【発明の詳細な説明】
【技術分野】
【０００１】
本発明は、交際支援装置、交際支援方法、プログラム及び記憶媒体に関する。
【背景技術】
【０００２】
近年、インターネットを用いて、男女間の交際を支援する交際支援ビジネスが展開されてきている。交際支援ビジネスでは、気に入った異性を見つけるための検索機能や、異性との交際を希望するユーザに、そのユーザの交際相手としてふさわしい異性を紹介する異性紹介機能などを実装した交際支援システムが用いられている。交際支援システムでは、ユーザの利用を促進するための様々な工夫が施されている。
【０００３】
特許文献１には、交際を申し込む申込者のボカシ画像を相手方に提示して、相手方が画像交換の申込に応じるか否かを確認して、申込に応じることが確認されると、相手方のボカシ画像より鮮明度が高い相手方の画像を申込者に提示するとともに、申込者のボカシ画像より鮮明度が高い申込者の画像を相手方に提示するという技術が開示されている。特許文献１に記載の技術によれば、不特定者により一方的に画像が閲覧されて個人が特定される可能性が低減されるので、システムの利用が促進されることとなる。
【先行技術文献】
【特許文献】
【０００４】
【特許文献１】特開２０１０−８６２１４号公報
【発明の概要】
【発明が解決しようとする課題】
【０００５】
しかしながら、特許文献１に係るシステムでは、不特定多数のユーザに対して無節操な交際申請を実施できてしまう問題がある。インターネットを活用した交際支援システムでは、一般的に、ユーザ間のコミュニケーションがネットワークを介して行われるので、お互いに素性を充分に理解することが難しいという実情がある。そして、交際支援システムを利用するユーザに、不特定多数の相手に交際を申し込むような無節操なユーザがいると、交際支援ビジネスの信用が下がり、交際支援ビジネスの展開に支障をきたすおそれがある。
【０００６】
本発明は、上記課題に鑑みてなされたものであって、ユーザによる無節操な交際申請を抑制することができる交際支援装置、交際支援方法、プログラム及び記憶媒体を提供することを目的とする。
【課題を解決するための手段】
【０００７】
上記課題を解決するために、本発明に係る交際支援装置は、交際相手を探している複数のユーザが登録されて当該ユーザ同士が交際する機会を支援すると共に、ユーザの端末が通信可能に接続された交際支援装置であって、交際を希望する交際希望ユーザの端末から、当該交際希望ユーザが交際を希望する相手である交際希望相手ユーザの識別情報を入力し、更に、前記交際希望相手ユーザの端末から、当該交際希望相手ユーザが交際を希望する相手である交際希望ユーザの識別情報を入力する入力手段と、前記入力手段により入力した交際希望ユーザの識別情報と交際希望相手ユーザの識別情報に基づいて当該交際希望ユーザと当該交際希望相手ユーザとの交際が合意に達したか否かを判定する判定手段と、前記判定手段により判定された結果に基づいて、前記交際希望ユーザおよび前記交際希望相手ユーザが他のユーザに対して交際活動を実施することを休止する休止手段と、を含むことを特徴とする。
【０００８】
また、本発明に係る交際支援方法は、交際を希望する複数の交際希望ユーザが登録され、交際希望ユーザ同士が交際する機会を支援する交際支援方法であって、交際を希望する交際希望ユーザの端末から、当該交際希望ユーザが交際を希望する相手である交際希望相手ユーザの識別情報を入力するステップと、前記交際希望相手ユーザの端末から、当該交際希望相手ユーザが交際を希望する相手である交際希望ユーザの識別情報を入力するステップと、前記交際希望ユーザの識別情報と交際希望相手ユーザの識別情報に基づいて当該交際希望ユーザと当該交際希望相手ユーザとの交際が合意に達したか否かを判定する判定ステップと、前記判定ステップにより判定された結果に基づいて、前記交際希望ユーザおよび前記交際希望相手ユーザが他のユーザに対して交際活動を実施することを休止する休止ステップと、を含むことを特徴とする。
【０００９】
また、本発明に係るプログラムは、交際相手を探している複数のユーザが登録されて当該ユーザ同士が交際する機会を支援すると共に、ユーザの端末が通信可能に接続された交際支援装置としてコンピュータを機能させるプログラムであって、交際を希望する交際希望ユーザの端末から、当該交際希望ユーザが交際を希望する相手である交際希望相手ユーザの識別情報を入力し、更に、前記交際希望相手ユーザの端末から、当該交際希望相手ユーザが交際を希望する相手である交際希望ユーザの識別情報を入力する入力手段、前記入力手段により入力した交際希望ユーザの識別情報と交際希望相手ユーザの識別情報に基づいて当該交際希望ユーザと当該交際希望相手ユーザとの交際が合意に達したか否かを判定する判定手段、前記判定手段により判定された結果に基づいて、前記交際希望ユーザおよび前記交際希望相手ユーザが他のユーザに対して交際活動を実施することを休止する休止手段、として前記コンピュータを機能させることを特徴とする。
【００１０】
また、本発明に係る記憶媒体は、交際相手を探している複数のユーザが登録されて当該ユーザ同士が交際する機会を支援すると共に、ユーザの端末が通信可能に接続された交際支援装置としてコンピュータを機能させるプログラムを記憶したコンピュータ読み取り可能な記憶媒体であって、交際を希望する交際希望ユーザの端末から、当該交際希望ユーザが交際を希望する相手である交際希望相手ユーザの識別情報を入力し、更に、前記交際希望相手ユーザの端末から、当該交際希望相手ユーザが交際を希望する相手である交際希望ユーザの識別情報を入力する入力手段、前記入力手段により入力した交際希望ユーザの識別情報と交際希望相手ユーザの識別情報に基づいて当該交際希望ユーザと当該交際希望相手ユーザとの交際が合意に達したか否かを判定する判定手段、前記判定手段により判定された結果に基づいて、前記交際希望ユーザおよび前記交際希望相手ユーザが他のユーザに対して交際活動を実施することを休止する休止手段、として前記コンピュータを機能させることを特徴とするプログラムを記憶したコンピュータ読み取り可能な記憶媒体である。
【００１１】
本発明では、交際希望ユーザにより指定された交際希望相手ユーザの識別情報と交際希望相手ユーザにより指定された交際希望ユーザの識別情報に基づいて交際が合意に達したか否かを判定して、判定結果に基づいて、交際希望ユーザ及び交際希望相手ユーザが、他のユーザに対して交際活動を実施することが休止される。このようにして、本発明によると、ユーザによる無節操な交際申請を抑制することができる。
【００１２】
本発明の一態様では、前記交際活動が実施可能なモードを活動モードとし、前記交際活動が実施不可能なモードを交際休止モードとしたとき、前記交際希望ユーザおよび前記交際希望相手ユーザが前記交際休止モードにおいて、前記入力手段は、前記交際希望ユーザの端末および前記交際希望相手ユーザの端末のいずれか一方から前記交際休止モードから前記活動モードへの変更要求を入力し、前記休止手段は、前記入力手段により入力した変更要求に基づいて、前記交際希望ユーザおよび前記交際希望相手ユーザを前記交際休止モードから前記活動モードへ変更することを特徴とする。
【００１３】
また、本発明の一態様では、前記交際活動が実施可能なモードを活動モードとし、前記交際活動が実施不可能なモードを交際休止モードとしたとき、前記入力手段は、交際希望ユーザの端末から、交際希望相手ユーザの識別情報と共に前記活動モードから前記交際休止モードへの変更要求を入力し、更に、前記交際希望相手ユーザの端末から、前記交際希望ユーザの識別情報と共に前記活動モードから前記交際休止モードへの変更要求を入力し、前記休止手段は、前記入力手段により入力した変更要求に基づいて活動モードから交際休止モードへ変更し、前記判定手段は、前記交際希望ユーザの識別情報と前記交際希望相手ユーザの識別情報に基づいて、当該交際希望ユーザと当該交際希望相手ユーザとの交際が合意に達したか否かを判定し、当該判定結果を前記交際希望ユーザおよび前記交際希望相手ユーザに通知する、ことを特徴とする。
【００１４】
この態様では、前記交際希望ユーザおよび前記交際希望相手ユーザが前記交際休止モードにおいて、前記入力手段は、前記交際希望ユーザの端末または前記交際希望相手ユーザの端末から前記交際休止モードから前記活動モードへの変更要求を入力し、前記休止手段は、前記入力手段により入力した変更要求に基づいて、前記交際希望ユーザまたは前記交際希望相手ユーザを前記交際休止モードから前記活動モードへ変更すると共に当該活動モードへ変更された旨を相手側に通知するようにしてもよい。
【図面の簡単な説明】
【００１５】
【図１】本実施形態に係る交際支援システムの構成の一例を示す図である。
【図２】ユーザプロフィール画面の一例を示す図である。
【図３】モード設定画面の一例を示す図である。
【図４】本実施形態に係るサーバで実現される機能の一例を示す機能ブロック図である。
【図５】ユーザ管理データの一例を示す図である。
【図６】本実施形態に係る交際支援システムで行われる支援登録処理の流れの一例を示すフロー図である。
【図７】ユーザ管理データの一例を示す図である。
【図８】本実施形態に係る交際支援システムで行われる支援登録処理の流れにおける他の例を示すフロー図である。
【発明を実施するための形態】
【００１６】
以下、本発明の一実施形態について図面に基づき詳細に説明する。
【００１７】
図１は、本実施形態に係る交際支援システム１０の構成の一例を示す図である。図１に示すように、本実施形態に係る交際支援システム１０は、例えば、サーバ１２（本実施形態では、交際支援装置として機能する。）と、ユーザ端末１４（１４−１〜１４−ｎ）と、を含んでいる。サーバ１２、各ユーザ端末１４は、インターネットなどのネットワーク１６に接続されており、各装置は互いに通信可能になっている。
【００１８】
サーバ１２は、例えば、サーバ１２にインストールされるプログラムに従って動作するＣＰＵ等のプログラム制御デバイスである制御部、ＲＯＭやＲＡＭ等の記憶素子やハードディスクドライブなどである記憶部、ネットワークボードなどの通信インタフェースである通信部、を含んで構成されているウェブアプリケーションサーバである。これらの要素は、バスを介して接続される。サーバ１２の記憶部には、サーバ１２の制御部によって実行されるプログラムが記憶される。また、サーバ１２の記憶部は、サーバ１２のワークメモリとしても動作する。
【００１９】
ユーザ端末１４は、例えば、ＣＰＵ等の制御装置、ＲＯＭやＲＡＭ等の記憶素子やハードディスクドライブ等の記憶装置、ディスプレイ等の出力装置、マウスやキーボード等の入力装置、ネットワークボード等の通信装置を備えた公知のパーソナルコンピュータにより構成されている。また、本実施形態に係るユーザ端末１４は、ウェブブラウザ及び電子メールクライアントが予めインストールされており、これらのアプリケーションプログラムが実行される。ユーザ端末１４は、ウェブブラウザを通じてサーバ１２が提供する各種サービスを受け、また電子メールクライアントを通じてサーバ１２から送信される電子メールを受信する。
【００２０】
本実施形態では、ユーザ端末１４が、ウェブブラウザを通じてサーバ１２にアクセスし、後述するユーザＩＤ及びパスワードを入力してから、その後に所定のＵＲＬにアクセスすると、ユーザ端末１４のディスプレイに所定のＵＲＬに対応する画面が表示される。なお、ユーザＩＤ及びパスワードを入力した後は、サーバ１２は、例えば、クッキーを参照することによりユーザ端末１４を利用するユーザのユーザＩＤを特定することができるようになっている。
【００２１】
本実施形態に係る交際支援システム１０は、例えば、男女間の交際を支援する交際支援ビジネスにおいて用いられるシステムであり、交際相手を探すユーザに関する情報が登録されている。そして、ユーザが、交際相手に対応するページの出力要求をユーザ端末１４からサーバ１２に送信すると、図２に例示する、交際相手のプロフィール画面２０が、ブラウザを介してユーザ端末１４に出力される。
【００２２】
プロフィール画面２０は、図２に示すように、ユーザの氏名（又はニックネーム）、性別、年齢、などを含んでいる。また、プロフィール画面２０は、モード表示領域２２を含んでいる。そして、このユーザが現在交際活動を行っている状況であるのか、休止している状況なのかが、モード表示領域２２には示される。
【００２３】
このモード表示領域２２に示される設定内容は、図３（Ａ）及び（Ｂ）に示すモード設定画面６０で設定される。このモード設定画面６０には、「活動中」、「交際休止」および「退会」がそれぞれラジオボタンと共に表示されている。「活動中」のラジオボタンが指定されると、ユーザは交際活動を実施可能になる。「交際休止」のラジオボタンが指定されると共に交際希望の相手となるユーザＩＤが指定されると、ユーザは交際活動を休止する。「退会」のラジオボタンが指定されると、ユーザはサービスから退会する。退会後には、ユーザの氏名、性別などの個人情報は削除される。
【００２４】
この例で、図３（Ａ）には、「活動中」のラジオボタンが設定されている。この状態から、図３（Ｂ）に示すように、「交際休止」のラジオボタンを指定すると共に交際希望の相手となるユーザＩＤ（１０００番）を指定すると、ユーザは交際活動を休止する。
【００２５】
図４は、本実施形態に係るサーバ１２で実現される機能の一例を示す機能ブロック図である。図４に例示するように、サーバ１２は、ユーザ管理データ記憶部３０、入力部３２、プロフィール画面生成部３４、プロフィール画面送信部３６、判定部３８、休止部４０、を含んで構成される。ユーザ管理データ記憶部３０は、サーバ１２の記憶部を主として実現される。その他の要素は、サーバ１２の制御部を主として実現される。
【００２６】
これらの要素は、コンピュータであるサーバ１２にインストールされたプログラムを、サーバ１２の制御部で実行することにより実現されている。なお、このプログラムは、例えば、ＣＤ−ＲＯＭ、ＤＶＤ−ＲＯＭなどのコンピュータ読み取り可能な記憶媒体を介して、あるいは、インターネットなどの通信ネットワークを介してサーバ１２に供給される。
【００２７】
ユーザ管理データ記憶部３０には、予め、図５に例示する、他のユーザとの交際を希望する複数の交際希望ユーザを管理するデータであるユーザ管理データ５０が複数記憶されている。ユーザ管理データ５０は、例えば、交際希望ユーザの識別子であるユーザＩＤ、交際希望ユーザの氏名（又はニックネーム）を示す氏名データ、交際希望ユーザの性別を示す性別データ、交際希望ユーザの年齢を示す年齢データ、交際希望ユーザの住所を示す住所データ、交際希望ユーザの電話番号を示す電話番号データ、交際希望ユーザのメールアドレスを示すメールアドレスデータ、交際希望ユーザによる交際活動の状況を示す交際活動モードデータ、交際希望ユーザによって交際相手として登録される交際希望ユーザのユーザＩＤである交際希望相手ユーザＩＤ、などを含んでいる。
【００２８】
本実施形態では、例えば、交際活動モードデータの値は、交際活動ユーザが交際活動を行っている状況であれば、交際活動モードデータの値は「活動中」となり、交際活動ユーザが交際活動を休止している状況であれば、交際活動モードデータの値は「交際休止」となり、交際活動ユーザが交際支援ビジネスを提供している事業者によるサービスから退会している状況であれば、交際活動モードデータの値は「退会」となる。ユーザの退会後には、即時又は一定期間後に当該ユーザのユーザ管理データ５０は削除される。交際活動モードデータの値が「活動中」であることを、ユーザが活動モードであると呼び、交際活動モードデータの値が「交際休止」であることを、ユーザが交際休止モードであると呼ぶこととする。
【００２９】
図５に例示するように、本実施形態に係る交際支援システム１０では、ユーザＡ、ユーザＢ、及び、ユーザＣが交際希望ユーザとして登録されている。そして、本実施形態では、ユーザＡに対応するユーザＩＤの値は０００１であり、ユーザＢに対応するユーザＩＤの値は０００２であり、ユーザＣに対応するユーザＩＤの値は０００３である。
【００３０】
入力部３２は、ユーザ端末１４からのデータを入力する（受け付ける）。
【００３１】
プロフィール画面生成部３４は、入力部３２がユーザ端末１４からユーザＩＤに関連付けられたプロフィール画面２０の生成要求に応じて、このユーザＩＤに対応するユーザ管理データ５０に含まれる、氏名データが示す氏名（ニックネーム）、性別データが示す性別、年齢データが示す年齢など、を含むプロフィール画面２０を生成する。例えば、プロフィール画面２０には、個人を特定できるような個人情報（本名や電話番号など）は掲載しない。また、プロフィール画面生成部３４は、モード表示領域２２内において、ユーザ管理データ５０に含まれる交際活動モードデータが示すモードに対応する「活動中」又は「交際休止」を明示する。
【００３２】
プロフィール画面送信部３６は、プロフィール画面２０の生成要求を受け付けたユーザ端末１４に対して、プロフィール画面２０に対応するデータを送信する。そして、ユーザ端末１４は、ディスプレイにプロフィール画面２０を表示出力する。
【００３３】
このようにして、ユーザは、他のユーザのプロフィールや交際活動モードを知ることができる。なお、プロフィール画面２０にモード表示領域２２を含めなくてもよい。
【００３４】
ここで、本実施形態に係る交際支援システム１０で行われる、モード変更処理の流れの一例を図６に示すフロー図を参照しながら説明する。以下の処理例では、既に、電子掲示板システムなどにより、ユーザＡとユーザＢとが、交際を開始することの合意がとれており、そのことに伴い、ユーザＡ、及び、ユーザＢから交際活動の休止申請を受け付ける場面について説明する。また、本処理例の開始時では、ユーザＡ及びユーザＢは、ともに、活動モードである。
【００３５】
まず、入力部３２が、ユーザＡが利用するユーザ端末１４から、交際相手として指定されるユーザ（交際相手希望ユーザ）となるユーザＢのユーザＩＤである「０００２」と共に交際活動モードの「活動中」から、「交際休止」への変更要求を入力する（受け付ける）（Ｓ１０１）。さらに、入力部３２が、ユーザＢが利用するユーザ端末１４から、ユーザＢの交際相手希望ユーザとなるユーザＡのユーザＩＤである「０００１」と共に交際活動モードの「活動中」から「交際休止」への変更要求を入力する（受け付ける）（Ｓ１０２）。そして、判定部３８が、Ｓ１０１及びＳ１０２に示す処理で受け付けたデータが所定の条件を満足するかを判定する（Ｓ１０３）。本処理例では、（１）ユーザＡが利用するユーザ端末１４から、「交際休止」への変更要求を受け付けること、（２）ユーザＢが利用するユーザ端末１４から、「交際休止」への変更要求を受け付けること、（３）ユーザＡが利用するユーザ端末１４から入力されたユーザＩＤ「０００２」に対応するユーザ（交際相手として指定された交際希望相手ユーザ）であるユーザＢが利用するユーザ端末１４から入力されたユーザＩＤ「０００１」に対応するユーザがユーザＡである、という３つの条件をすべて満足するか、そうではない（少なくとも１つの条件は満足しない）か、を判定する。
【００３６】
そして、Ｓ１０３に示す処理において、上記条件を満足することが確認された場合は、（Ｓ１０３：Ｙ）、判定部３８が、ユーザＡが利用するユーザ端末１４、及び、ユーザＢが利用するユーザ端末１４に、相手との交際が合意に達した旨を電子メール形式で通知する（Ｓ１０４）。そして、休止部４０が、ユーザＡのユーザ管理データ５０に含まれる交際活動モードデータの値を「活動中」から「交際休止」に変更するとともに、ユーザＡのユーザ管理データ５０に含まれる交際希望相手ユーザＩＤの値に、ユーザＢのユーザＩＤである「０００２」を設定する（Ｓ１０５）。そして、休止部４０が、ユーザＢのユーザ管理データ５０に含まれる交際活動モードデータの値を「活動中」から「交際休止」に変更するとともに、ユーザＢのユーザ管理データ５０に含まれる交際希望相手ユーザＩＤの値に、ユーザＡのユーザＩＤである「０００１」を設定する（Ｓ１０６）。そして、本処理例に示す処理を終了する。図７に、この場合におけるユーザ管理データ５０の一例を示す。
【００３７】
Ｓ１０３に示す処理において、上記条件を満足しないことが確認された場合は、（Ｓ１０３：Ｎ）、判定部３８が、ユーザＢのユーザ端末１４に、相手との交際が合意に達していない旨を電子メール形式で通知して（Ｓ１０７）、本処理例に示す処理を終了する。
【００３８】
続いて、本実施形態に係る交際支援システム１０で行われる、他のモード変更処理の流れの一例を図８に示すフロー図を参照しながら説明する。この例では、モードの変更要求を受け付けてモード変更後に、相手との交際が合意に達したか否かを通知する。なお、図６に示したフローと同様な処理は、その詳細な説明は省略する。以下の処理例では、既に、電子掲示板システムなどにより、ユーザＡとユーザＢとが、交際を開始することの合意がとれており、そのことに伴い、ユーザＡ、及び、ユーザＢから交際活動の休止申請を受け付ける場面について説明する。また、本処理例の開始時では、ユーザＡ及びユーザＢは、ともに、活動モードである。
【００３９】
まず、入力部３２が、ユーザＡが利用するユーザ端末１４から、交際相手として指定されるユーザ（交際相手希望ユーザ）となるユーザＢのユーザＩＤである「０００２」と共に交際活動モードの「活動中」から、「交際休止」への変更要求を入力する（受け付ける）（Ｓ２０１）。そして、休止部４０が、ユーザＡのユーザ管理データ５０に含まれる交際活動モードデータの値を「活動中」から「交際休止」に変更するとともに、ユーザＡのユーザ管理データ５０に含まれる交際希望相手ユーザＩＤの値に、ユーザＢのユーザＩＤである「０００２」を設定する（Ｓ２０２）。
【００４０】
続いて、入力部３２が、ユーザＢが利用するユーザ端末１４から、ユーザＢの交際相手希望ユーザとなるユーザＡのユーザＩＤである「０００１」と共に交際活動モードの「活動中」から「交際休止」への変更要求を入力する（受け付ける）（Ｓ２０３）。そして、休止部４０が、ユーザＢのユーザ管理データ５０に含まれる交際活動モードデータの値を「活動中」から「交際休止」に変更するとともに、ユーザＢのユーザ管理データ５０に含まれる交際希望相手ユーザＩＤの値に、ユーザＡのユーザＩＤである「０００１」を設定する（Ｓ２０４）。
【００４１】
続いて、判定部３８が、Ｓ２０１及びＳ２０３に示す処理で受け付けたデータが所定の条件を満足するかを判定する（Ｓ２０５）。本処理例では、（１）ユーザＡが利用するユーザ端末１４から、「交際休止」への変更要求を受け付けること、（２）ユーザＢが利用するユーザ端末１４から、「交際休止」への変更要求を受け付けること、（３）ユーザＡが利用するユーザ端末１４から入力されたユーザＩＤ「０００２」に対応するユーザ（交際相手として指定された交際希望相手ユーザ）であるユーザＢが利用するユーザ端末１４から入力されたユーザＩＤ「０００１」に対応するユーザがユーザＡである、という３つの条件をすべて満足するか、そうではない（少なくとも１つの条件は満足しない）か、を判定する。
【００４２】
続いて、Ｓ２０５に示す処理において、上記条件を満足することが確認された場合は（Ｓ２０５：Ｙ）、判定部３８が、ユーザＡが利用するユーザ端末１４、及び、ユーザＢが利用するユーザ端末１４に、相手との交際が合意に達した旨を電子メール形式で通知する（Ｓ２０６）。
【００４３】
また、Ｓ２０５に示す処理において、上記条件を満足しないことが確認された場合は（Ｓ２０５：Ｎ）、判定部３８が、ユーザＢのユーザ端末１４に、相手との合意が達していない旨を電子メール形式で通知して（Ｓ２０７）、本処理例に示す処理を終了する。このように、サーバ１２は、モードの変更要求を受け付けてモード変更後に、相手との合意が達したか否かを通知するようにしてもよい。
【００４４】
本実施形態に係る交際支援システム１０では、入力部３２が、交際休止モードであるユーザが利用するユーザ端末１４から交際相手のプロフィール画面２０を検索して、他のユーザとの交際申請を入力した場合には、判定部３８は、その交際申請を拒否する旨をユーザ端末１４に通知する。このように、本実施形態に係る交際支援システム１０では、交際休止モードであるユーザは、他のユーザとの交際申請ができないようになっている。また、交際休止モードであるユーザが利用するユーザ端末１４から交際相手のプロフィール画面２０を検索できないようにしてもよい。
【００４５】
本実施形態に係る交際支援システム１０では、入力部３２が、交際休止モードであるユーザ（例えば、ユーザＡ）が利用するユーザ端末１４から、活動モードへの変更要求を入力すると、休止部４０が、交際休止モードであるユーザの交際活動モードデータの値を「活動中」に変更するとともに、このユーザの交際相手であるユーザ（例えば、ユーザＢ）に、ユーザＡが活動モードに変更された旨を通知する。
【００４６】
本実施形態に係る交際支援システム１０では、ユーザは、交際合意をしている他のユーザがきちんと活動モードから交際休止モードに変更されているかを確認することができる。このようにして、本実施形態に係る交際支援システム１０では、他のユーザとの交際が合意しているにも関わらず、交際活動のモードを交際休止にしないような不誠実な行為を抑制することができる。
【００４７】
なお、本発明は上述の実施形態に限定されるものではない。
【００４８】
例えば、判定部３８は、所定の時間間隔で、ユーザＡにより交際希望相手ユーザとして指定されたユーザＢの交際活動モードデータの値を監視するようにしてもよい。そして、ユーザＢが交際休止モードに変更していない場合に、判定部３８は、ユーザＡのユーザ端末１４、又は、ユーザＢのユーザ端末１４の少なくとも一方にその旨を通知するようにしてもよい。
【００４９】
また、例えば、判定部３８は、ユーザＡが利用するユーザ端末１４からユーザＢとの交際申請を受け付けた際に、ユーザＢが利用するユーザ端末１４に、交際活動モードデータの変更を促す旨を通知するようにしてもよい。
【００５０】
また、例えば、判定部３８は、ユーザＡが利用するユーザ端末１４からユーザＢとの交際申請を受け付け、ユーザＣが利用するユーザ端末１４からユーザＢとの交際申請を受け付け、ユーザＢが利用するユーザ端末１４からユーザＡとの交際申請を受け付けた場合には、ユーザＡが利用するユーザ端末１４、及び、ユーザＢが利用するユーザ端末１４に、相手との合意が達した旨を通知し、ユーザＣが利用するユーザ端末１４に、相手との合意が達しなかった旨を通知するようにしてもよい。
【００５１】
また、例えば、交際支援システム１０は、交際休止モードであるユーザに対して、一部の機能を提供しないようにしてもよい。また、交際支援システム１０におけるサーバ１２、ユーザ端末１４の役割分担は上述の実施形態には限定されない。また、サーバ１２は、１つの筐体により構成されていても、複数の筐体により構成されていても構わない。また、上記の具体的な数値や文字列や図面中の具体的な数値や文字列は例示であり、これらの数値や文字列には限定されない。
【符号の説明】
【００５２】
１０  交際支援システム、１２  サーバ、１４  ユーザ端末、１６  ネットワーク、２０  プロフィール画面、２２  モード表示領域、３０  ユーザ管理データ記憶部、３２  入力部、３４  プロフィール画面生成部、３６  プロフィール画面送信部、３８  判定部、４０  休止部、５０  ユーザ管理データ、６０  モード設定画面。
【図１】
0005822440.tif 000002
【図２】
0005822440.tif 000003
【図３】
0005822440.tif 000004
【図４】
0005822440.tif 000005
【図５】
0005822440.tif 000006
【図６】
0005822440.tif 000007
【図７】
0005822440.tif 000008
【図８】
0005822440.tif 000009